(57)【要約】
【課題】非常用水の確保と振動，騒音の防止とを兼ねた一石二鳥の洗濯機を提供し得るようにする。
【解決手段】図は洗濯機を上から見た上面図であり、断面がほぼ正方形の外枠１と、洗濯水が貯水され断面がほぼ円形の外槽２との間に形成される空間４ａ〜４ｄに、タンク（容器：図示なし）を設置し、このタンクの給水口５から上水道を給水しつつ放水口６を経て外槽２に洗濯水を供給する構成とすることにより、飲用可能な水を常時確保できるようにするとともに、タンク内の水の重量を利用して振動発生時の洗濯機本体の共振現象を低減できるようにした。
【選択図】図１
0003099661.tif 000002
【実用新案登録請求の範囲】
【請求項１】
　洗濯機の外枠と洗濯用水槽との間に形成される空間にタンクを配置し、洗濯槽へはこのタンクを介して上水を供給することにより、タンク内には常時上水を貯水可能にするとともに、貯水されたタンクを洗濯機の振動，騒音の吸収用として利用することを特徴とする洗濯機。
【請求項２】
　前記タンクを、複数個設置することを特徴とする請求項１に記載の洗濯機。
【請求項３】
　前記複数のタンク間を、連結管で互いに連結することを特徴とする請求項２に記載の洗濯機。
【請求項４】
　前記連結管を、タンクの上端と下端とにそれぞれ設けたことを特徴とする請求項３に記載の洗濯機。
【請求項５】
　前記タンクの底部に上水の給水口を、タンクの上部に洗濯槽への放出口をそれぞれ形成したことを特徴とする請求項１ないし４のいずれかに記載の洗濯機。
【考案の詳細な説明】
【技術分野】
【０００１】
　この考案は洗濯機、特にその構造を改良した洗濯機に関する。
【背景技術】
【０００２】
　最近、災害発生に備えて飲料水を確保する方法が種々取り沙汰されている。洗濯機中の水は雑菌等が多い等の理由から、あまり検討の対象とはなっていないが、例えば特許文献１に示すようなものがある。
　これは、洗濯機とは別に容器を設け、その流入口を水道管に接続し、その流出口を洗濯機の給水口に接続し、水道水を容器内を通流させて供給することで、常に飲料水を貯蓄できるようにしたものである。
【０００３】
【特許文献１】実開平０７−２５９７８号公報（第５頁、図１）
【考案の開示】
【考案が解決しようとする課題】
【０００４】
　通常、洗濯機は外形が直方体状で、洗濯脱水槽は円筒状のものが多い。そのため、洗濯機の四隅には大なり小なり空所ができ、この空所が洗濯脱水槽の回転に伴う騒音や振動をそのまま外部に伝達してしまうという問題があるが、上記特許文献１に記載のものは、この点については何も考慮されていない。
　したがって、この考案の課題は、洗濯機への給水を利用して上水を確保するとともに、洗濯機から発する騒音や振動を防止することにある。
【課題を解決するための手段】
【０００５】
　このような課題を解決するため、請求項１の考案では、洗濯機の外枠と洗濯用水槽との間に形成される空間にタンクを設置し、洗濯槽へはこのタンクを介して上水を供給することにより、タンク内には常時上水を貯水可能にするとともに、貯水されたタンクを洗濯機の振動，騒音の吸収用として利用することを特徴とする。
　この請求項１の考案においては、前記タンクを複数個設置することができる（請求項２の考案）。
【０００６】
　上記請求項２の考案においては、複数のタンク間を連結管で互いに連結することができ（請求項３の考案）、この請求項３の考案においては、前記連結管をタンクの上端と下端とにそれぞれ設けることができ（請求項４の考案）、さらに、請求項１ないし４のいずれかの考案においては、前記タンクの底部に上水の供給口を、タンクの上部に洗濯槽への放出口をそれぞれ形成することができる（請求項５の考案）。
【考案の効果】
【０００７】
　この考案によれば、洗濯機内の空所にタンク（容器）を設置し、このタンクを介して洗濯機に給水することで、非常用の水を確保できるだけでなく、可動部の重量と比べた洗濯機本体の重量が増加するため、可動部の振動による本体の共振現象が減少し、騒音や振動を効率よく吸収することが可能となる利点がもたらされる。
【考案を実施するための最良の形態】
【０００８】
　図１はこの考案の実施の形態を示す上面図、図２は同じく正面図、図３は同じく（左）側面図で、これらの図では最小限必要なもののみを図示し、他は省略している。
　これらの図において、１は外枠、２は洗濯水が貯水される外槽、３は洗濯脱水槽、４ａ〜４ｄは空所、５は例えば上水道につながる給水口、６は外槽２への放水口、７，１７はパイプまたはホース等からなる連結管、８は攪拌翼、９，１９は傾斜部をそれぞれ示す。なお、空所４ａ〜４ｄには、図２，図３のようにそれぞれタンク（容器）４１〜４４が対応して設置される。タンクの材料には音や振動を吸収する効果を持つ材料、例えば合成樹脂などが用いられる。
【０００９】
　タンクの形状は、外枠１と外槽２との間に形成される空所４ａ〜４ｄの形状により、円筒状，角柱状やこれらを合成した形状など種々の形状に構成することができる。また、その数も１つに限らず複数個とすることができ、ここでは４個設ける場合を想定している。そして、上水道につながるタンクの底部には給水口５が設けられ、外槽２へ給水するタンクの上部には放水口６が設けられる。
【００１０】
　したがって、タンクが１つの場合はその底部に給水口５が設けられ、その上部に放水口６が設けられるが、タンクが複数の場合は給水口５が設けられるタンクと、放水口６が設けられるタンクとが異なることになる。また、タンクが複数の場合は、各タンクは図１に示すような連結管７により互いに連結される。なお、図２，図３に示すように、各タンクに形成された傾斜部９は、タンクの水抜きを容易にするためである。
【００１１】
　また、傾斜部１９は、タンク上部に空気が滞留しないようにするためのもので、タンクが複数ある場合には、タンク上部間を連結管１７で結合することにより、空気の泡は最後のタンクまで押し出され、そこから放水口６を通って外気に放出される。なお、放水口６には、円滑な給水のために、通常のホース等を接続することができる。
【００１２】
　上記のように構成することにより、洗濯を開始すべく給水口５から水道水が送られてくると、水はまずタンク内に入りこれが一杯になると次のタンクへ入る、という具合に給水が行なわれ、最終的には放水口６から外槽２へと給水がなされる。その結果、タンクには常に水道からの水が貯水されることになり、非常用として供することができるだけでなく、タンクによる重量を利用することで、攪拌翼８の回転による騒音，振動などを効率よく吸収することが可能となる。
【００１３】
　以上では、外枠が直方体のものを例に説明したが、外槽との間に一定の空所が形成されるものであれば、その形状には限定されないものであり、設置するタンクの数も限定されないものである。また、洗濯脱水槽の例で説明したが、この考案は洗濯専用槽の洗濯機にも適用できるのは勿論である。なお、洗濯機下部から給水して上部から放水する構造と、タンクの上面と下面に傾斜部を形成する構造とを有する限り、この考案はいわゆる横型の洗濯機にも適用することができる。
【図面の簡単な説明】
【００１４】
【図１】この考案の実施の形態を示す上面図
【図２】この考案の実施の形態を示す正面図
【図３】この考案の実施の形態を示す側面図
【符号の説明】
【００１５】
　１…外枠、２…外槽、３…洗濯脱水槽、４ａ〜４ｄ…空所、４１〜４４…タンク（容器）、５…給水口、６…放水口、７，１７…連結管、８…攪拌翼、９，１９…傾斜部。
【図１】
0003099661.tif 000003
【図２】
0003099661.tif 000004
【図３】
0003099661.tif 000005